(57)【特許請求の範囲】
【請求項１】
どのような手段で処理されているかが分からないようにセキュリティ処理を施されたデータ処理回路を調整するための信号を出力する測定端子が外部に露出して設けられているセキュリティ処理装置において、
外部から所定のスイッチ切換用暗号信号又はスイッチ切換プログラムデータが入力されたときに、前記データ処理回路を調整するための信号を前記測定端子に出力するスイッチ回路を設けたことを特徴とするセキュリティ処理装置。
【請求項２】
どのような手段で処理されているかが分からないようにセキュリティ処理を施されたデータ処理回路を調整するための信号を出力する測定端子が外部に露出して設けられているセキュリティ処理装置において、
通常は前記測定端子への出力の変調処理をし、外部から所定の変調停止用暗号信号が入力されたときに、前記測定端子への出力の変調処理を停止して前記データ処理回路を調整するための信号を出力する変調回路を設けたことを特徴とするセキュリティ処理装置。
【請求項３】
どのような手段で処理されているかが分からないようにセキュリティ処理を施されたデータ処理回路を調整するための信号を出力する測定端子が外部に露出して設けられているセキュリティ処理装置において、
通常は前記測定端子へ出力する増幅処理のゲインを変化させず、外部から所定のゲイン変換用暗号信号が入力されたときに、前記測定端子へ出力する増幅処理のゲインを変化させて前記データ処理回路を調整するための信号を出力する増幅回路を設けたことを特徴とするセキュリティ処理装置。
【発明の詳細な説明】
【０００１】
【発明の属する技術分野】
本発明は、データ処理回路を調整するための信号を出力する測定端子が外部に露出して設けられているセキュリティ処理装置に関する。
【０００２】
【従来の技術】
従来、例えば、磁気カードやＩＣカード等の所定のデータの記録されている媒体を処理する処理装置においては、媒体に記録されているデータを読取って解析し、また、所定の新たなデータを媒体に記録するデータ処理回路が組込まれている。このデータ処理回路は、媒体のセキュリティを高める観点から、どのような手段で処理されているかが分からないようにする処理（以下、単にセキュリティ処理という。）が施されている。
【０００３】
ところで、上述のセキュリティ処理が施されたデータ処理回路であっても、製造時やその後の保守点検時においては、そのデータ処理回路が正常に作動するか否かのチェックが行われるとともに、正常に作動するように各構成要素の調整が行われる。
【０００４】
この調整作業に当っては、内部が密閉された回路基板から外部に露出されている測定用端子に、オシロスコープ等の調整用機器を接続し、その測定用端子の出力状態を監視することによって行われる。
【０００５】
【発明が解決しようとする課題】
上述のように、従来のセキュリティ処理の施されたデータ処理回路には、動作チェックないし調整用の測定端子が外部に露出しているので、不用意にその測定端子に調整用機器が接続されると、データ処理回路のセキュリティ推定に利用される懸念があった。
【０００６】
このような懸念を解消するために、測定用端子を省略したり、あるいは、測定用端子を回路基板から外部に露出させないようにすることも考えられるが、このようにすると、調整が極めて困難となって製造に支障を来したり、保守点検がしずらくなるという新たな問題点が発生してしまう。
【０００７】
そこで、本発明は、上記欠点を解決するためになされたものであって、その目的は、測定用端子が外部へ露出されていても、セキュリティ推定ができないようにしたセキュリティ処理装置を提供することにある。
【０００８】
【課題を解決するための手段】
上記目的を達成するために、請求項１に係る発明は、セキュリティ処理を施されたデータ処理回路を調整するための信号を出力する測定端子が外部に露出して設けられているセキュリティ処理装置において、外部から所定のスイッチ切換用暗号信号又はスイッチ切換プログラムデータが入力されたときに、前記データ処理回路を調整するための信号を前記測定端子に出力するスイッチ回路を設けたことを特徴としている。
また、請求項２に係る発明は、セキュリティ処理を施されたデータ処理回路を調整するための信号を出力する測定端子が外部に露出して設けられているセキュリティ処理装置において、通常は前記測定端子への出力の変調処理をし、外部から所定の変調停止用暗号信号が入力されたときに、前記測定端子への出力の変調処理を停止して前記データ処理回路を調整するための信号を出力する変調回路を設けたことを特徴としている。
また、請求項３に係る発明は、セキュリティ処理を施されたデータ処理回路を調整するための信号を出力する測定端子が外部に露出して設けられているセキュリティ処理装置において、通常は前記測定端子へ出力する増幅処理のゲインを変化させず、外部から所定のゲイン変換用暗号信号が入力されたときに、前記測定端子へ出力する増幅処理のゲインを変化させて前記データ処理回路を調整するための信号を出力する増幅回路を設けたことを特徴としている。
【０００９】
【発明の実施の形態】
以下、本発明の実施の形態を図面に基づいて説明する。図１は、一実施の形態に係るセキュリティ処理装置ａの概略構成図である。
【００１０】
セキュリティ処理装置ａは、例えば、磁気カードやＩＣカード等の情報を記憶する媒体（図示せず）を用いて所定の処理、例えば、媒体中に記憶されている金額データを用いて所定の物品の購入代金の支払を行う処理装置に組み込まれるデータ処理回路１から、その外部に露出して設けられた測定端子２に調整用信号を出力する途中に、外部から与えられる信号に基づいて調整用信号を出力するか否かを制御する手段を付加して構成されている。
【００１１】
データ処理回路１は、例えば、ＣＰＵ等の演算処理回路等から構成され、その処理動作内容を第三者に知られることなく処理するもの、すなわち、セキュリティ処理が施されているものである。
【００１２】
測定端子２には、セキュリティ処理装置ａの製造時の調整や保守点検時の調整（以下、保守点検を含めて調整という）のために、測定端子の出力状態を検出することのできるオシロスコープ等の測定機器（図示せず）が接続できるように構成されている。
【００１３】
図中、３はデータ処理回路１と測定端子２の間に設けられたスイッチ回路であって、データ処理回路１の調整時以外は、実線で示されるように作動して、データ処理回路１から出力される擬似信号を測定端子２に出力するように構成されている。
【００１４】
また、このスイッチ回路３は、データ処理回路１の調整時に、セキュリティ処理装置から外部に露出して設けられている入力端子４に調整用端末器ｂが接続され、その調整用端末器ｂからスイッチ切換信号が入力されたときに、その入力信号を処理するＣＰＵ５からの出力信号により、鎖線で示されるように作動して、データ処理回路１から測定端子２に調整用信号を出力できるように構成されている。
【００１５】
上述のように、測定端子２には、入力端子４にスイッチ切換信号が入力されなければデータ処理回路１を調整するために必要な調整用信号が出力されず、単に測定端子２に測定機器を接続しても、擬似信号が出力されるだけであるので、データ処理回路１の処理動作内容を推定することは不可能であり、データ処理回路１のセキュリティを高めることができる。
【００１６】
また、入力端子４に入力する信号を暗号信号としたときは、よりセキュリティ効果を高めることができる。さらに、ＣＰＵ５を、入力端子４からスイッチ切換用の特別なプログラムデータが供給されたときのみスイッチ切換信号を出力するようにすると、さらにセキュリティ効果を高めることができる。
【００１７】
図２は、本発明の他の実施の形態を示す。このセキュリティ処理装置ａは、図１のスイッチ回路３の代わりに変調回路６を設けて構成されている。
【００１８】
変調回路６は、ＣＰＵ５から信号がなければ、すなわち、入力端子４に変調停止用信号が入力されないときは、データ処理回路１からの調整用信号を変調して測定端子２に出力する。
【００１９】
したがって、入力端子４に変調停止用信号が入力されない状態においては、測定端子２に変調された調整用信号が出力されるので、データ処理回路１の処理動作内容の推定が困難となり、セキュリティを保つことができる。
【００２０】
図３は、さらに他の実施の形態を示す。このセキュリティ処理装置ａは、図２の変調回路の代わりにゲイン可変形の増幅回路（ＰＧＡ）７を設けて構成されている。
【００２１】
ＰＧＡ７は、ＣＰＵ５から信号がなければ、すなわち、入力端子４に信号が入力されないときは、データ処理回路１からの調整用信号を飽和した状態等のセキュリティ推定不可能な状態で測定端子２に出力するようにしている。
【００２２】
したがって、入力端子４に信号が入力されない状態においては、測定端子２にセキュリティ推定不可能な信号が出力されるので、データ処理回路１の処理動作内容の推定が困難となり、セキュリティを保つことができる。
【００２３】
【発明の効果】
請求項１に係る発明によれば、セキュリティ処理を施されたデータ処理回路を調整するための信号を出力する測定端子が外部に露出して設けられているセキュリティ処理装置において、外部から所定のスイッチ切換用暗号信号又はスイッチ切換プログラムデータが入力されたときに、前記データ処理回路を調整するための信号を前記測定端子に出力するスイッチ回路を設けたので、単に、測定端子に計測装置を接続してもセキュリティ推定ができないから、セキュリティ効果を高めることができる。
請求項２に係る発明によれば、セキュリティ処理を施されたデータ処理回路を調整するための信号を出力する測定端子が外部に露出して設けられているセキュリティ処理装置において、通常は前記測定端子への出力の変調処理をし、外部から所定の変調停止用暗号信号が入力されたときに、前記測定端子への出力の変調処理を停止して前記データ処理回路を調整するための信号を出力する変調回路を設けたので、単に、測定端子に計測装置を接続してもセキュリティ推定ができないから、セキュリティ効果を高めることができる。
請求項３に係る発明によれば、セキュリティ処理を施されたデータ処理回路を調整するための信号を出力する測定端子が外部に露出して設けられているセキュリティ処理装置において、通常は前記測定端子へ出力する増幅処理のゲインを変化させず、外部から所定のゲイン変換用暗号信号が入力されたときに、前記測定端子へ出力する増幅処理のゲインを変化させて前記データ処理回路を調整するための信号を出力する増幅回路を設けたので、単に、測定端子に計測装置を接続してもセキュリティ推定ができず、セキュリティ効果を高めることができる。
【図面の簡単な説明】
【図１】  本発明の一実施の形態に係るセキュリティ処理装置の概略図である。
【図２】  本発明の他の実施の形態に係るセキュリティ処理装置の概略図である。
【図３】  本発明のさらに他の実施の形態に係るセキュリティ処理装置の概略図である。
【符号の説明】
ａ  セキュリティ処理装置
ｂ  調整用端末器
ｂ′  オシロスコープ
１  データ処理回路
２  測定端子
３  スイッチ回路
４  入力端子
５  ＣＰＵ
６  変調回路
７  ＰＧＡ
【図１】
0003874456.tif 000002
【図２】
0003874456.tif 000003
【図３】
0003874456.tif 000004